(57)【特許請求の範囲】
【請求項１】
幅方向よりも長手方向に長い第１の長手形状部材と、
幅方向よりも長手方向に長い第２の長手形状部材と、
この第２の長手形状部材の端部と前記第１の長手形状部材の端部とを一体的に接続する接続部と、
前記第１の長手形状部材の裏面の長手方向に対して垂下して設けられた第１の垂下部材と、
前記第１の長手形状部材の裏面の長手方向に対して垂下して設けられ、前記第１の垂下部材より前記接続部に近い位置に離間して設けられた第２の垂下部材と、
一端を前記第２の垂下部材に、他端を前記第１の垂下部材に、それぞれ取り付けられた刃と、
この刃に対向する前記第２の長手形状部材の部位であって、前記第１の長手形状部材と前記第２の長手形状部材が近接した際、前記第１の垂下部材と前記第２の垂下部材の間の前記刃に近づくように形成された凸部と、
を備え、
前記凸部の刃に面する部位は平坦な面であって、
前記第１の長手形状部材と前記第２の長手形状部材が近接した際、前記第２の垂下部材の先端が前記第２の長手形状部材に当接せず、前記第１の垂下部材の先端が前記第２の長手形状部材に当接すると共に、前記凸部と前記刃が接触しない隙間が形成され、前記隙間は、接続部に近づく方向に離間寸法が拡大している
ことを特徴とするピーラー。
【請求項２】
凸部の平坦な面に前記平坦な面の長手方向を横断する方向に、複数の突起が形成されている
ことを特徴とする請求項１記載のピーラー。
【発明の詳細な説明】
【技術分野】
【０００１】
本発明は、ピーラーに係り、特に、棒状野菜を挟持して切削することができるピーラーに関する。
【背景技術】
【０００２】
従来、被切削物である棒状野菜の表面に押し当て、皮を削ぎ落とすピーラーがある。このピーラーは、Ｙ字型の先端に刃を差し渡すように取り付けられ、ジャガイモ、人参等の腰のある野菜の皮を削ぎ落とす場合、支障を生じない。
【発明の概要】
【発明が解決しようとする課題】
【０００３】
ところが、ゴボウのような棒状野菜の皮を削ぎ落とす場合、前記棒状野菜に腰がないため、前記棒状野菜の皮を削ぎ落としにくいという問題点が生じた。
【０００４】
本発明は、前記問題点を考慮したなされたピーラーを提供することを目的とする。
【課題を解決するための手段】
【０００５】
請求項１記載のピーラーは、幅方向よりも長手方向に長い第１の長手形状部材と、幅方向よりも長手方向に長い第２の長手形状部材と、この第２の長手形状部材の端部と前記第１の長手形状部材の端部とを一体的に接続する接続部と、前記第１の長手形状部材の裏面の長手方向に対して垂下して設けられた第１の垂下部材と、前記第１の長手形状部材の裏面の長手方向に対して垂下して設けられ、前記第１の垂下部材より前記接続部に近い位置に離間して設けられた第２の垂下部材と、一端を前記第２の垂下部材に、他端を前記第１の垂下部材に、それぞれ取り付けられた刃と、この刃に対向する前記第２の長手形状部材の部位であって、前記第１の長手形状部材と前記第２の長手形状部材が近接した際、前記第１の垂下部材と前記第２の垂下部材の間の前記刃に近づくように形成された凸部と、を備え、前記凸部の刃に面する部位は平坦な面であって、前記第１の長手形状部材と前記第２の長手形状部材が近接した際、前記第２の垂下部材の先端が前記第２の長手形状部材に当接せず、前記第１の垂下部材の先端が前記第２の長手形状部材に当接すると共に、前記凸部と前記刃が接触しない隙間が形成され、前記隙間は、接続部に近づく方向に離間寸法が拡大しているのである。
【０００７】
また、請求項２記載のピーラーは、請求項１記載のピーラーにおいて、凸部の平坦な面に前記平坦な面の長手方向を横断する方向に、複数の突起が形成されているものである。
【発明の効果】
【０００８】
請求項１記載のピーラーによれば、凸部は、刃に対向する第２の長手形状部材の部位であって、第１の長手形状部材と第２の長手形状部材が近接した際、第１の垂下部材と第２の垂下部材の間に、例えば、ｔ寸法、侵入する（図１の二点鎖線及び図２参照）ように、刃に近づくように形成されているため、第１の長手形状部材と第２の長手形状部材との間に被切削物である棒状野菜を挟持して切削することができ、しかも、凸部が、第１の垂下部材と第２の垂下部材の間に近づける分、刃と凸部との間に被切削物である棒状野菜の径が小さくなっても、切削することができ、更に、凸部は、被切削物である棒状野菜の載置部位であることを示す機能を有し、使用勝手を向上させることができる。
【０００９】
また、請求項１記載のピーラーによれば、第１の長手形状部材と第２の長手形状部材が近接した際、第２の垂下部材の先端が前記第２の長手形状部材に当接せず、第１の垂下部材の先端が前記第２の長手形状部材に当接すると共に、凸部と刃が接触しない隙間が形成されているため、切削中に刃と凸部との間に位置していた被切削物が無くなっても、凸部と刃が接触せず、凸部による刃の変形、損傷等を防ぐことができ、しかも、第１の長手形状部材と第２の長手形状部材が近接した際、第２の垂下部材の先端が前記第２の長手形状部材に当接せず、第１の垂下部材の先端が前記第２の長手形状部材に当接すると共に、凸部と刃が接触しない隙間が形成され、前記隙間は、接続部に近づく方向に離間寸法が拡大しているため、被切削物である棒状野菜の径の大きさに応じて、棒状野菜が当接する凸部の位置を変えて、棒状野菜を切削することができる。
【００１０】
また、請求項２記載のピーラーによれば、上述した請求項１記載の発明の効果に加え、凸部の刃に面する部位は平坦な面であって、この平坦な面に前記平坦な面の長手方向を横断する方向に、複数の突起が形成されているため、凸部上の被切削物である棒状野菜の移動を防いで棒状野菜を切削することができる。
【図面の簡単な説明】
【００１１】
【図１】図１は、本発明の一実施例のピーラーの概略的正面図である。
【図２】図２は、図１の概略的左側面図である。
【図３】図３は、図１の刃、第１の垂下部材、第２の垂下部材の関係を示す概略的図である。
【図４】図４は、図１のピーラーの使用状態を示す概略的斜視図である。
【図５】図５は、図４の一使用態様を示す概略的断面図である。
【図６】図６は、図５の６−６線による概略的断面図である。
【図７】図７は、図４の一使用態様を示す概略的断面図である。
【発明を実施するための形態】
【００１２】
本発明の一実施例のピーラーを図面（図１乃至図７）を参照して説明する。  
図１、図４、図５及び図７に示すＰはピーラーで、ピーラーＰは、例えば、合成樹脂で形成され、幅方向よりも長手方向に長い第１の長手形状部材１と、幅方向よりも長手方向に長い第２の長手形状部材２と、この第２の長手形状部材２の端部と第１の長手形状部材１の端部とを一体的に接続する接続部３とから、構成されている。
図１に示す１１は第１の垂下部材で、第１の垂下部材１１は、第１の長手形状部材１１の裏面の長手方向に対して垂下して設けられている。１２は第２の垂下部材で、第２の垂下部材１２は、第１の長手形状部材１の裏面の長手方向に対して垂下して設けられ、第１の垂下部材１１より接続部３に近い位置に離間して設けられ、第１の垂下部材１１、第２の垂下部材１２は、第１の長手形状部材１に一体的に設けられている。
【００１３】
図３に示す４は刃で、刃４の一端を第２の垂下部材１２に、刃４の他端を第１の垂下部材１１に、それぞれ取り付けられ、刃４は、例えば、孔１１ａ、１２ａを介して取り付けられている。
刃４は、刃面４ａ、刃面４ｂの両刃であり、切削方向は、図４に示すＡ方向に限らず、Ａ方向と逆方向、つまり、押しても引いても切削することができ、右利き、左利きにも同様に使用することができるようにしている。
図１に示す２１は凸部で、凸部２１は、刃４に対向する第２の長手形状部材２の部位であって、第１の長手形状部材１と第２の長手形状部材２が近接した際、第１の垂下部材１１と第２の垂下部材１２の刃４に近づくように形成され、例えば、凸部２１の一部が第１の垂下部材１１と第２の垂下部材１２との間にｔ寸法侵入するようになっている（図１の二点鎖線参照）。
【００１４】
従って、上述したピーラーＰによれば、凸部２１は、刃４に対向する第２の長手形状部材２の部位であって、第１の長手形状部材１と第２の長手形状部材２が近接した際、第１の垂下部材１１と第２の垂下部材１２の間に、例えば、ｔ寸法、侵入する（図１の二点鎖線及び図２参照）ように、刃４に近づくように形成されている。
そのため、第１の長手形状部材１と第２の長手形状部材２との間に被切削物である棒状野菜（例えば、ゴボウ）５を挟持して、例えば、ピーラーＰを図６に示す方向へ移動させて切削することができ、しかも、凸部２１は、第１の垂下部材１１と第２の垂下部材１２の間に侵入する分、刃４と凸部２１との間に被切削物である棒状野菜５の径が小さく（図５及び図７参照）なっても、切削することができ、更に、凸部２１は、被切削物である棒状野菜５の載置部位であることを示す機能を有し、使用勝手を向上させることができる。
【００１５】
なお、図１（図１の二点鎖線参照）に示すように、第１の長手形状部材１と第２の長手形状部材２が近接した際、第２の垂下部材１２の先端が第２の長手形状部材２に当接せず、第１の垂下部材１１の先端が第２の長手形状部材２に当接すると共に、凸部２１と刃４が接触しない隙間Ｓが形成され、隙間Ｓは、接続部３に近づく方向に離間寸法が拡大している。
そのため、手の指で第１の長手形状部材１と第２の長手形状部材２を把持して（図４参照）、第１の長手形状部材１と第２の長手形状部材２との間の棒状野菜５を切削する際、切削中に刃４と凸部２１との間に被切削物５が無くなっても、凸部２１と刃４が接触せず、凸部２１による刃４の変形、損傷等を防ぐことができ、しかも、第１の長手形状部材１と第２の長手形状部材２が近接した際、第２の垂下部材１２の先端が第２の長手形状部材２に当接せず、第１の垂下部材１１の先端が第２の長手形状部材２に当接すると共に、凸部２１と刃４が接触しない隙間Ｓが形成され、隙間Ｓは、接続部３に近づく方向に離間寸法が拡大しているため、被切削物である棒状野菜５の径の大きさに応じて、棒状野菜５が当接する凸部２１の位置を変えて、棒状野菜を切削することができる。
【００１６】
また、図１に示す２１ａは突起で、突起２１ａは、凸部２１の刃４に面する部位は平坦な面であって、この平坦な面に前記平坦な面の長手方向を横断する方向に、複数形成されている。
そのため、刃４と凸部２１との間の被切削物である棒状野菜５の長手方向を横断する方向への移動を防いで、棒状野菜５を切削することができる。
【符号の説明】
【００１７】
Ｐ      ピーラー
１      第１の長手形状部材
２      第２の長手形状部材
３      接続部
４      刃
１１    第１の垂下部材
１２    第２の垂下部材
２１    凸部
【図１】
0005878728.tif 000002
【図２】
0005878728.tif 000003
【図３】
0005878728.tif 000004
【図４】
0005878728.tif 000005
【図５】
0005878728.tif 000006
【図６】
0005878728.tif 000007
【図７】
0005878728.tif 000008